(57)【要約】【課題】複数の釣竿を互いに損傷しあうことなく収納可能な釣竿ケースを提供する。【解決手段】このケース１は、それぞれの一側縁においてヒンジ機構を介して開閉可能に連結された下蓋３及び上蓋２を有する。下蓋３の収納スペースには、幅方向中央付近が凹入した釣竿収納窪み５ａとなっている釣竿支持材５が複数個配置されており、上蓋２の収納スペースにも、下蓋３の釣竿支持材５に対応する部分に同様の釣竿支持材５が配置されている。そして、これらの対応する下蓋側釣竿支持材５と上蓋側釣竿支持材５との間には仕切板６が脱着自在に配置される。【選択図】      図１
2004222654.tif 000002
【特許請求の範囲】
【請求項１】
釣竿を収納するためのケースであって、
釣竿を収納する収納スペースを有し、それぞれの一側縁においてヒンジ機構を介して開閉可能に連結された下蓋及び上蓋と、
前記下蓋及び上蓋を閉塞した状態で係着するロック部材とを備え、
前記下蓋の収納スペースには、幅方向中央付近が凹入した釣竿収納窪みとなっている下蓋用釣竿支持材が前記収納スペースの長手方向に間隔を隔てて複数個配置されており、
前記上蓋の収納スペースにも、前記下蓋の収納スペース内に配置された下蓋用釣竿支持材に対応する部分に同様の上蓋用釣竿支持材が複数個配置されており、
前記下蓋用釣竿支持材及び／又は上蓋用釣竿支持材の相互に対向する側の面に仕切板が脱着自在に装着されている、釣竿用ケース。
【請求項２】
前記下蓋用釣竿支持材の上面には係止溝が形成されており、仕切板には前記係止溝に嵌合する凸条が形成されている、請求項１に記載の釣竿用ケース。
【請求項３】
前記仕切板は四方に支持脚を有し、前記仕切板は前記上蓋用若しくは下蓋用釣竿支持材の釣竿収納窪みを覆うように噛み合いながら前記支持脚で前記収納スペース内に起立している、請求項１に記載の釣竿用ケース。
【発明の詳細な説明】
【０００１】
【発明の属する技術分野】
本発明は、釣竿を収納し、これを安全に損傷することなく運搬することができる釣竿用ケースの改良に関するものである。
【０００２】
【従来の技術】
魚釣りに用いる釣竿を釣り場まで運搬し、又は釣りを終えて自宅に持ち帰るまでに釣竿を収納するために、種々の釣竿ケースが提供されている。
ある種の釣竿ケースは布製の袋状のものである。このケースでは、釣竿を袋の中に収納して袋の口を紐などで縛る。また、別の種の釣竿ケースはプラスチック製の箱状の部材である。この種のケースの中にもハードケース，ソフトケースがある。このようなケースでは、箱の蓋を開けてその中に釣竿を収納することになる。
【０００３】
そして、このような従来の釣竿ケースでは、ケースの軽量化、内部に収納した釣竿の破損防止等に向けて様々な技術が提案されている（例えば、特許文献１参照）。
【０００４】
【特許文献１】
特開２００１−２５８４５０号公報
【０００５】
【発明が解決しようとする課題】
しかし、このような従来の竿体ケースにおいて、複数の釣竿をまとめて１つの本体部に収納すると、運搬時に釣竿同士が接触して互いに傷つけあう恐れがある。特に、リールを釣竿の竿体に取り付けたまま釣竿を収納する場合は、１のリールが他の竿体を傷つけ、また、リール自体も損傷する恐れがある。
【０００６】
本発明の課題は、複数の釣竿を互いに損傷しあうことなく収納可能な釣竿ケースを提供することにある。
【０００７】
【課題を解決するための手段】
発明１のケースは、釣竿を収納するためのケースであって、釣竿を収納する収納スペースを有し、それぞれの一側縁においてヒンジ機構を介して開閉可能に連結された下蓋及び上蓋と、下蓋及び上蓋を閉塞した状態で係着するロック部材とを備えている。下蓋の収納スペースには、幅方向中央付近が凹入した釣竿収納窪みとなっている下蓋用釣竿支持材が収納スペースの長手方向に間隔を隔てて複数個配置されている。また、上蓋の収納スペースにも、下蓋の収納スペース内に配置された下蓋用釣竿支持材に対応する部分に同様の上蓋用釣竿支持材が複数個配置されている。そして、下蓋用釣竿支持材及び／又は上蓋用釣竿支持材の相互に対向する側の面に仕切板が脱着自在に装着されている。
【０００８】
このケースに複数の釣竿を収納する場合には、まず、下蓋の収納スペースの下蓋用釣竿支持材の釣竿収納窪みに釣竿を配置しながら、下蓋の収納スペースに釣竿を収納する。一方、上蓋の収納スペースの上蓋用釣竿支持材の釣竿収納窪みにも別の釣竿を配置しながら、上蓋の収納スペースに釣竿を収納する。そして、仕切板を上蓋用・下蓋用の釣竿支持材の隙間に介在させながら、下蓋及び上蓋を閉塞し、ロック部材で係着する。釣竿支持材によって収納されている釣竿が不要に収納スペース内でがたつくこともなく、且つ、仕切板が収納スペース内での釣竿どうしの接触を防止する。
【０００９】
発明２のケースは、発明１のケースであって、下蓋用釣竿支持材の上面には係止溝が形成されており、仕切板には係止溝に嵌合する凸条が形成されている。
このケースでは、仕切板の凸条を下蓋用釣竿支持材の係止溝に係止させて、仕切板と下蓋用釣竿支持材とを相互に固定する。上蓋と下蓋とを開閉する際にも釣竿が飛び出さない。
【００１０】
発明３のケースは、発明１のケースであって、仕切板は四方に支持脚を有し、仕切板は上蓋用若しくは下蓋用釣竿支持材の窪みを覆うように噛み合いながら支持脚で収納スペース内に起立している。
このケースでは、仕切板を上蓋用若しくは下蓋用釣竿収納窪みを噛み合わせて、蓋をする。
【００１１】
【発明の実施の形態】
［第１実施形態］
以下、本発明の第１実施形態について、図面を参照しつつ説明する。
図１に示すように、本発明の第１実施形態を採用した釣竿ケース１は、対称な上蓋２及び下蓋３とからなる。上蓋２及び下蓋３は、それぞれ矩形型の箱部材であって、対抗する面が開口しその内部が収納スペースとなっている。この上蓋２及び下蓋３とは、それぞれ、ポリカーボネートやＡＢＳ樹脂等の硬質プラスチック若しくはポリウレタン樹脂の周面にナイロン樹脂を積層させたもの等から構成された外殻からなる。必要に応じて、外殻の内部には発泡ポリスチレン等で形成される内殻を配置してもよい。この実施形態では、上蓋２及び下蓋３の長手方向両端には内殻Ｐを配置したものを示している。
【００１２】
上蓋２及び下蓋３のそれぞれの一側縁においては両者を跨ぐようにヒンジ材４が配置され、このヒンジ材４が上蓋２及び下蓋３に連結されている。このヒンジ材４を軸中心として、上蓋２と下蓋３とが開閉する。また、上蓋２と下蓋３とのヒンジ材４が連結された一側縁の外の周縁にはそれぞれにファスナが設けられている。下蓋３及び上蓋２を閉塞した状態において、このファスナで両者を閉める。
【００１３】
なお、この実施形態ではファスナを用いた場合を例示しているが、上蓋２と下蓋３とをロックする部材はこれに限定されるものではない。
また、上蓋２及び下蓋３の収納スペースには、長手方向に間隔を隔てて複数の釣竿支持材５が配置されている。釣竿支持材５の数は任意であり上蓋２及び下蓋３の長手方向長さによって異なるが、例えば、図１に示すように、上蓋２及び下蓋３にそれぞれ２つずつ等配置される。上蓋２及び下蓋３の釣竿支持材５はそれぞれ対応する位置に対称的に配置されている。なお、上蓋２及び下蓋３に装着する釣竿支持材５は同様のものである。
【００１４】
図２に詳しく示すように、釣竿支持材５は、ポリウレタン等から構成される箱形の部材である。例えば、釣竿支持材５は収納スペース内に接着剤等で固定する。釣竿支持材５の上面（例えば、下蓋３に装着される釣竿支持材５にあっては上蓋２側の面、上蓋２に装着される釣竿支持材５にあっては下蓋３側の面）では、その幅方向中央付近が凹入してここが釣竿収納窪み５ａとなっている。この釣竿収納窪み５ａは一般的な釣竿のもっとも太い元竿を収納可能な程度に凹入している。この釣竿支持材５の高さは上蓋２若しくは下蓋３の深さと同程度に設定する。そして、上蓋２と下蓋３とを閉じると、対称位置に配置された釣竿支持材５の上面同士が当接して、上蓋２と下蓋３との潰れ方向の支持材ともなる。
【００１５】
また、下蓋３側に配置される釣竿支持材５には、仕切板６が脱着自在に装着される。仕切板６は、図２に示すように、矩形板の四方から４つの支持脚が延びたものである。釣竿支持材５と同様にポリウレタン等から構成できる。支持脚の高さは釣竿支持材５の高さに合わせて設定されており、矩形板部分は釣竿支持材５の釣竿収納窪み５ａに合致するように設定される。そして、矩形板部分を釣糸収納窪み５ａに嵌めてこれを覆うように噛み合わせる。
【００１６】
なお、上述のように釣竿支持材５は上蓋２，下蓋３共に共通であるから、この仕切板６は上蓋２，下蓋３の何れの側の釣竿支持材５にも装着できる。この場合も、仕切板６は釣竿支持材５の釣竿収納窪み５ａ内に嵌るので、釣竿支持材５自体の高さを変化させず、上蓋２と下蓋３との潰れ方向の支持材としての機能を損なわない。
【００１７】
このケースに複数の釣竿Ｒを収納する場合には、下蓋３の収納スペースの釣竿支持材５の釣竿収納窪み５ａ若しくは上蓋２の収納スペースの釣竿支持材５の竿体収納窪み５ａに釣竿Ｒを配置して、上蓋２又は下蓋３の収納スペースに釣竿Ｒをそれぞれ収納する（図１参照）。そして、仕切板６を釣竿支持材５に上述のように噛み合わせて固定した上で、下蓋３及び上蓋２を閉塞し、ファスナで両者を係着する。なお、この場合、上蓋２側若しくは下蓋３側のみに仕切板６を装着するのではなく、両者それぞれに仕切板６を装着してもよい。
【００１８】
このようにして釣竿Ｒを収納した釣竿ケース１では、釣竿支持材５によって収納されている釣竿Ｒが不要に収納スペース内でがたつくこともなく、且つ、仕切板６が収納スペース内での釣竿Ｒ同士の接触を防止する。
［他の実施形態］
図３に釣竿支持材及び仕切板の変形例を示す。
【００１９】
この釣竿支持材１５も、ポリウレタン等から構成される箱形の部材である。そして、釣竿支持材１５の上面（例えば、下蓋３に装着される釣竿支持材１５にあっては上蓋２側の面、上蓋２に装着される釣竿支持材１５にあっては下蓋３側の面）では、その幅方向中央付近が凹入してここが釣竿収納窪み１５ａとなっている。この点では、上記実施形態と同様である。もっとも、この釣竿収納窪み１５ａは、幅方向に２つに区分されており、２種の竿体を同時に収納可能となっている。また、釣竿支持材１５の上面の釣竿収納窪み１５ａの幅方向の両側にはそれぞれ一部が切り欠かれた係止溝１５ｂが形成されている。
【００２０】
この釣竿支持材１５にも仕切板１６が脱着自在に装着される。仕切板１６は、釣竿支持材１５と同様の素材からなる矩形板の部材である。矩形板の大きさは上述の釣竿収納窪み１５ａの大きさに合致している。また、仕切板１６の幅方向の両側には上述の係止溝１５ｂに嵌る係止突起１６ａが設けられている。そして、矩形板部分を釣糸収納窪み１５ａに嵌めてこれを覆うようして、係止突起１６ａを係止溝１５ｂに噛み合わせる。
【００２１】
【発明の効果】
本発明によれば、複数の釣竿を互いに損傷しあうことなく収納可能できる。
【図面の簡単な説明】
【図１】本発明の第１実施形態を採用した釣竿ケースの全体図。
【図２】図１の釣竿ケースの釣竿支持材５を示した図。
【図３】他の実施形態を採用した釣竿ケースの釣竿支持材１５を示した図。
【符号の説明】
１  釣竿ケース
５，１５  釣竿支持材
６，１６  仕切板
【図１】
2004222654.tif 000003
【図２】
2004222654.tif 000004
【図３】
2004222654.tif 000005